(57)【特許請求の範囲】
【請求項１】
電力を充放電可能であって負荷へと電力を供給可能であると共に動作に関する複数の動作モードを実行可能であり、かつ、前記負荷と系統電源とを繋ぐ配電線に前記負荷から系統電源へ向けて順番に並ぶように接続された複数の蓄電池システムと、
前記蓄電池システムの前記動作モードを切り替える制御部と、
前記配電線において前記複数の蓄電池システムよりも系統電源側に、かつ、前記負荷から系統電源へ向けて前記複数の蓄電池システムと順番に並ぶように接続された不足電力供給システムと、
を具備し、
前記蓄電池システムは、
前記配電線と当該蓄電池システムとの連結点の直ぐ上流側の電力を検出する蓄電池システム用センサを有すると共に、前記動作モードとして、前記蓄電池システム用センサの検出結果により取得される前記負荷の要求に応じた電力を当該蓄電池システムの負荷追従運転によって放電可能とする放電モード、又は放電不可能とする停止モードを実行可能であり、
前記制御部は、
前記蓄電池システムの積算放電量を取得すると共に、当該取得した積算放電量の少ない順番に複数の前記蓄電池システムを優先順位づけ、
前記優先順位の最上位の前記蓄電池システムを前記放電モードとし、その他の前記蓄電池システムを前記停止モードとし、
前記不足電力供給システムは、
前記配電線と当該不足電力供給システムとの連結点の直ぐ上流側の電力を検出する不足電力供給システム用センサを有し、前記不足電力供給システム用センサの検出結果により取得される前記負荷の要求に応じた電力を当該不足電力供給システムの負荷追従運転によって放電可能であり、
前記制御部は、
前記不足電力供給システムから前記負荷へと電力が供給されている場合、
前記停止モードの前記蓄電池システムのうち、前記優先順位の最上位の前記蓄電池システムを前記放電モードとする、
電力供給システム。
【請求項２】
電力を充放電可能であって負荷へと電力を供給可能であると共に動作に関する複数の動作モードを実行可能であり、かつ、前記負荷と系統電源とを繋ぐ配電線に前記負荷から系統電源へ向けて順番に並ぶように接続された複数の蓄電池システムと、
前記蓄電池システムの前記動作モードを切り替える制御部と、
を具備し、
前記蓄電池システムは、
前記配電線と当該蓄電池システムとの連結点の直ぐ上流側の電力を検出する蓄電池システム用センサを有すると共に、前記動作モードとして、前記蓄電池システム用センサの検出結果により取得される前記負荷の要求に応じた電力を当該蓄電池システムの負荷追従運転によって放電可能とする放電モード、又は放電不可能とする停止モードを実行可能であり、
前記制御部は、
前記蓄電池システムの積算放電量を取得すると共に、当該取得した積算放電量の少ない順番に複数の前記蓄電池システムを優先順位づけ、
前記優先順位の最上位の前記蓄電池システムを前記放電モードとし、その他の前記蓄電池システムを前記停止モードとし、
前記制御部は、
少なくとも１以上の前記蓄電池システムが放電を行っている場合に系統電源から購入する最低の電力の値である最低閾値を有し、
系統電源から前記最低閾値よりも大きな電力が前記配電線を介して購入されている場合、
前記停止モードの前記蓄電池システムのうち、前記優先順位の最上位の前記蓄電池システムを前記放電モードとする、
電力供給システム。
【請求項３】
前記配電線において前記複数の蓄電池システムよりも系統電源側に、かつ、前記負荷から系統電源へ向けて前記複数の蓄電池システムと順番に並ぶように接続された不足電力供給システムを具備し、
前記不足電力供給システムは、
前記配電線と当該不足電力供給システムとの連結点の直ぐ上流側の電力を検出する不足電力供給システム用センサを有し、前記不足電力供給システム用センサの検出結果により取得される前記負荷の要求に応じた電力を当該不足電力供給システムの負荷追従運転によって放電可能であり、
系統電源から前記最低閾値よりも大きな電力が前記配電線を介して購入されていない場合であっても、前記不足電力供給システムから前記負荷へと電力が供給されている場合、
前記停止モードの前記蓄電池システムのうち、前記優先順位の最上位の前記蓄電池システムを前記放電モードとする、
請求項２に記載の電力供給システム。
【請求項４】
複数の前記蓄電池システムは、複数の需要者のうち何れかが所有し、
前記不足電力供給システムは、前記複数の需要者が共用している、
請求項１又は請求項３に記載の電力供給システム。
【発明の詳細な説明】
【技術分野】
【０００１】
本発明は、電力を充放電可能な複数の蓄電池システムを具備する電力供給システムの技術に関する。
【背景技術】
【０００２】
従来、電力を充放電可能な複数の蓄電池システムを具備する電力供給システムの技術は公知となっている。例えば、特許文献１に記載の如くである。
【０００３】
特許文献１に記載の電力供給システムは、電力を充放電可能な複数の蓄電池システムを有している。このような電力供給システムにおいては、複数の蓄電池システムからの電力を負荷へと供給することができる。すなわち、１つの蓄電池システムだけでは得ることが困難な電力量を、負荷へと供給することができる。
【０００４】
また、特許文献１に記載の電力供給システムにおいては、蓄電池の充電状態（電力を蓄積可能な定格容量に対して蓄積されている充電残量の割合）や充電回数に基づいて、負荷へと電力を供給するための蓄電池システムを決定している。これによって、複数の蓄電池システムのうち、特定の蓄電池システムに放電や充電が偏ることを防止している。
【先行技術文献】
【特許文献】
【０００５】
【特許文献１】特開２０１３−１７９７２９号公報
【発明の概要】
【発明が解決しようとする課題】
【０００６】
しかし、負荷へと電力を供給するための蓄電池システムを決定するために、蓄電池の充電残量の割合や充電回数に基づくことは、特定の蓄電池システムに放電や充電が偏ることを防止するのに不十分であった。
【０００７】
本発明は、以上の如き状況を鑑みてなされたものであり、その解決しようとする課題は複数の蓄電池システムのうち特定の蓄電池システムに放電や充電が偏ることを効果的に防止することが可能な電力供給システムを提供するものである。
【課題を解決するための手段】
【０００８】
本発明の解決しようとする課題は以上の如くであり、次にこの課題を解決するための手段を説明する。
【０００９】
即ち、電力を充放電可能であって負荷へと電力を供給可能であると共に動作に関する複数の動作モードを実行可能であり、かつ、前記負荷と系統電源とを繋ぐ配電線に前記負荷から系統電源へ向けて順番に並ぶように接続された複数の蓄電池システムと、前記蓄電池システムの前記動作モードを切り替える制御部と、前記配電線において前記複数の蓄電池システムよりも系統電源側に、かつ、前記負荷から系統電源へ向けて前記複数の蓄電池システムと順番に並ぶように接続された不足電力供給システムと、を具備し、前記蓄電池システムは、前記配電線と当該蓄電池システムとの連結点の直ぐ上流側の電力を検出する蓄電池システム用センサを有すると共に、前記動作モードとして、前記蓄電池システム用センサの検出結果により取得される前記負荷の要求に応じた電力を当該蓄電池システムの負荷追従運転によって放電可能とする放電モード、又は放電不可能とする停止モードを実行可能であり、前記制御部は、前記蓄電池システムの積算放電量を取得すると共に、当該取得した積算放電量の少ない順番に複数の前記蓄電池システムを優先順位づけ、前記優先順位の最上位の前記蓄電池システムを前記放電モードとし、その他の前記蓄電池システムを前記停止モードとし、前記不足電力供給システムは、前記配電線と当該不足電力供給システムとの連結点の直ぐ上流側の電力を検出する不足電力供給システム用センサを有し、前記不足電力供給システム用センサの検出結果により取得される前記負荷の要求に応じた電力を当該不足電力供給システムの負荷追従運転によって放電可能であり、前記制御部は、前記不足電力供給システムから前記負荷へと電力が供給されている場合、前記停止モードの前記蓄電池システムのうち、前記優先順位の最上位の前記蓄電池システムを前記放電モードとするものである。
【００１０】
また、電力を充放電可能であって負荷へと電力を供給可能であると共に動作に関する複数の動作モードを実行可能であり、かつ、前記負荷と系統電源とを繋ぐ配電線に前記負荷から系統電源へ向けて順番に並ぶように接続された複数の蓄電池システムと、前記蓄電池システムの前記動作モードを切り替える制御部と、を具備し、前記蓄電池システムは、前記配電線と当該蓄電池システムとの連結点の直ぐ上流側の電力を検出する蓄電池システム用センサを有すると共に、前記動作モードとして、前記蓄電池システム用センサの検出結果により取得される前記負荷の要求に応じた電力を当該蓄電池システムの負荷追従運転によって放電可能とする放電モード、又は放電不可能とする停止モードを実行可能であり、前記制御部は、前記蓄電池システムの積算放電量を取得すると共に、当該取得した積算放電量の少ない順番に複数の前記蓄電池システムを優先順位づけ、前記優先順位の最上位の前記蓄電池システムを前記放電モードとし、その他の前記蓄電池システムを前記停止モードとし、前記制御部は、少なくとも１以上の前記蓄電池システムが放電を行っている場合に系統電源から購入する最低の電力の値である最低閾値を有し、系統電源から前記最低閾値よりも大きな電力が前記配電線を介して購入されている場合、前記停止モードの前記蓄電池システムのうち、前記優先順位の最上位の前記蓄電池システムを前記放電モードとするものである。
【００１１】
前記配電線において前記複数の蓄電池システムよりも系統電源側に、かつ、前記負荷から系統電源へ向けて前記複数の蓄電池システムと順番に並ぶように接続された不足電力供給システムを具備し、前記不足電力供給システムは、前記配電線と当該不足電力供給システムとの連結点の直ぐ上流側の電力を検出する不足電力供給システム用センサを有し、前記不足電力供給システム用センサの検出結果により取得される前記負荷の要求に応じた電力を当該不足電力供給システムの負荷追従運転によって放電可能であり、系統電源から前記最低閾値よりも大きな電力が前記配電線を介して購入されていない場合であっても、前記不足電力供給システムから前記負荷へと電力が供給されている場合、前記停止モードの前記蓄電池システムのうち、前記優先順位の最上位の前記蓄電池システムを前記放電モードとすることとしてもよい。
【００１２】
複数の前記蓄電池システムは、複数の需要者のうち何れかが所有し、前記不足電力供給システムは、前記複数の需要者が共用していることとしてもよい。
このような構成により、負荷へと電力を供給する複数の需要者の共用のシステム用いて、複数の蓄電池システムのうち特定の蓄電池システムに放電や充電が偏ることをより効果的に防止することができる。
【発明の効果】
【００１３】
本発明の効果として、以下に示すような効果を奏する。
【００１４】
複数の蓄電池システムのうち特定の蓄電池システムに放電や充電が偏ることを効果的に防止することができる。
【図面の簡単な説明】
【００１５】
【図１】第一実施形態に係る電力供給システムの構成を示したブロック図。
【図２】同じく、通常モードが実行された場合における電力の供給態様の一例を示したブロック図。
【図３】同じく、均等モードが実行された場合におけるＥＭＳによる事前設定の処理を示したフローチャート。
【図４】同じく、設定された放電優先順位の一例を示した図。
【図５】同じく、均等モードが実行された場合におけるＥＭＳによる第一実施形態に係る蓄電池システム動作の処理を示したフローチャート。
【図６】同じく、均等モードが実行された場合における電力の供給態様の一例を示したブロック図。
【図７】同じく、均等モードが実行された場合におけるＥＭＳによる第二実施形態に係る蓄電池システム動作の処理を示したフローチャート。
【図８】同じく、均等モードが実行された場合におけるＥＭＳによる第三実施形態に係る蓄電池システム動作の処理を示したフローチャート。
【図９】同じく、均等モードが実行された場合におけるＥＭＳによる第四実施形態に係る蓄電池システム動作の処理を示したフローチャート。
【図１０】第二実施形態に係る電力供給システムの構成を示したブロック図。
【図１１】同じく、均等モードが実行された場合におけるＥＭＳによる第五実施形態に係る蓄電池システム動作の処理を示したフローチャート。
【図１２】同じく、均等モードが実行された場合におけるＥＭＳによる第六実施形態に係る蓄電池システム動作の処理を示したフローチャート。
【図１３】同じく、図１２の続きを示したフローチャート。
【発明を実施するための形態】
【００１６】
以下では、図１を用いて、第一実施形態に係る電力供給システム１について説明する。
【００１７】
電力供給システム１は、複数の戸建住宅（住宅Ｈ）からなる住宅街区Ｔ（住宅Ｈの集合体）に適用することを想定している。具体的には、住宅街区Ｔには、複数の（戸建）住宅Ｈとして、第一住宅Ｈ１、第二住宅Ｈ２、・・、第Ｎ住宅ＨＮが設けられる。住宅街区Ｔにおいては、電力小売事業者が電力会社（系統電源Ｓ）から電力を一括購入し、当該購入した電力が各住宅Ｈに適宜供給（売却）される。
【００１８】
電力供給システム１は、電力小売事業者が電力会社から一括購入した電力を、複数の住宅Ｈ（第一住宅Ｈ１、第二住宅Ｈ２、・・、第Ｎ住宅ＨＮ）間で適宜供給（融通）するためのシステムである。電力供給システム１は、主としてセンサ部１０、複数の住宅用蓄電池システム２０（第一住宅用蓄電池システム２１、第二住宅用蓄電池システム２２、・・、第Ｎ住宅用蓄電池システム２Ｎ）、共用蓄電池システム３０及びＥＭＳ４０を具備する。
【００１９】
複数の住宅Ｈ（第一住宅Ｈ１、第二住宅Ｈ２、・・、第Ｎ住宅ＨＮ）は、人が居住する建物である。各住宅Ｈには適宜の電気製品が設けられ、電力が消費される。
【００２０】
また、各住宅Ｈは、系統電源Ｓと接続される。具体的には、各住宅Ｈは、上流側端部が系統電源Ｓと接続されると共に下流側端部が分岐して各住宅Ｈと接続された配電線Ｌを介して、当該系統電源Ｓと接続される。
【００２１】
センサ部１０は、配電線Ｌを流通する電力を検出するものである。センサ部１０は、共用センサ１０Ｔ、第一センサ１１、第二センサ１２、・・、第Ｎセンサ１Ｎを具備する。
【００２２】
共用センサ１０Ｔ、第一センサ１１、第二センサ１２、・・、第Ｎセンサ１Ｎは、それぞれ配置箇所を流通する電力を検出するものである。共用センサ１０Ｔ、第一センサ１１、第二センサ１２、・・、第Ｎセンサ１Ｎは、それぞれ検出結果に関する信号を出力可能に構成される。共用センサ１０Ｔ、第一センサ１１、第二センサ１２、・・、第Ｎセンサ１Ｎは、それぞれ所定の蓄電池システムと対応するように設けられ、当該対応する住宅用蓄電池システムと電気的に接続される。
【００２３】
具体的には、共用センサ１０Ｔは、後述する共用蓄電池システム３０と電気的に接続される。また、第一センサ１１は、後述する第一住宅用蓄電池システム２１と電気的に接続される。また、第二センサ１２は、後述する第二住宅用蓄電池システム２２と電気的に接続される。また、第Ｎセンサ１Ｎは、後述する第Ｎ住宅用蓄電池システム２Ｎと電気的に接続される。
【００２４】
また、共用センサ１０Ｔ、第一センサ１１、第二センサ１２、・・、第Ｎセンサ１Ｎは、それぞれ配電線Ｌにおいて、前記対応する蓄電池システムが接続された連結点の直ぐ上流側に配置される。具体的には、共用センサ１０Ｔ、第一センサ１１、第二センサ１２、・・、第Ｎセンサ１Ｎは、それぞれ配電線Ｌにおいて、後述する共用連結点ＰＴ、第一連結点Ｐ１、第二連結点Ｐ２、・・、第Ｎ連結点ＰＮの直ぐ上流側に配置される。
【００２５】
複数の住宅用蓄電池システム２０（第一住宅用蓄電池システム２１、第二住宅用蓄電池システム２２、・・、第Ｎ住宅用蓄電池システム２Ｎ）は、系統電源Ｓからの電力を適宜充放電するためのシステムである。各住宅用蓄電池システム２０は、充放電可能な蓄電池や当該蓄電池の充放電を制御するパワーコンディショナ等を具備する。各住宅用蓄電池システム２０は、所定の住宅Ｈに対応するように設けられる（１つの住宅Ｈに対して、１つの住宅用蓄電池システム２０が設けられる）。各住宅用蓄電池システム２０は、前記所定の住宅Ｈ（住宅Ｈの住人）に所有されている。
【００２６】
また、各住宅用蓄電池システム２０は、配電線Ｌの中途部に接続される。具体的には、第一住宅用蓄電池システム２１、第二住宅用蓄電池システム２２、・・、第Ｎ住宅用蓄電池システム２Ｎは、それぞれ配電線Ｌの第一連結点Ｐ１、第二連結点Ｐ２、・・、第Ｎ連結点ＰＮに接続される。なお、第一連結点Ｐ１、第二連結点Ｐ２、・・、第Ｎ連結点ＰＮは、配電線Ｌにおいて下流側（前記複数の住宅側）から上流側（系統電源Ｓ側）へ向けて順番に配置されている。
【００２７】
また、各住宅用蓄電池システム２０は、所定の充電時間帯（例えば、２３時から７時までの間）に、系統電源Ｓからの電力が充電されるように構成される。こうして、深夜料金が適用された比較的安価な電力を各住宅用蓄電池システム２０に充電させ、当該充電させた電力を（深夜料金が適用されない）昼間の時間帯に放電させることにより、比較的高価な電力の購入量を減少させることができる。なお、各住宅用蓄電池システム２０に充電させた電力は、電力小売事業者が電力会社から一括購入した後の電力が分配されたものである。すなわち、各住宅用蓄電池システム２０に充電された電力の料金は、当該各住宅用蓄電池システム２０を所有する住人から電力小売事業者へと支払われる。
【００２８】
また、各住宅用蓄電池システム２０は、上述の如く、対応するセンサ部１０のセンサ（第一センサ１１、第二センサ１２、・・、第Ｎセンサ１Ｎ）と電気的に接続される。各住宅用蓄電池システム２０は、対応するセンサ部１０のセンサから出力された信号が入力され、当該入力された信号に基づいて当該センサの検出結果を取得可能に構成される。各住宅用蓄電池システム２０は、対応するセンサ部１０のセンサの検出結果に基づいて、放電（出力）する電力量を調整する負荷追従運転を行うことができる。
【００２９】
また、各住宅用蓄電池システム２０は、動作に関するモードとして、複数のモードを有している。前記複数のモードには、「放電モード」及び「停止モード」が含まれる。放電モードとは、各住宅Ｈの消費電力に応じて、各住宅用蓄電池システム２０が動作的に（放電可能な程度に蓄電池残量が残っているか否かを問わず）放電可能な状態となるモードである。また、停止モードとは、各住宅用蓄電池システム２０が動作的に放電不可能な状態となるモードである。
【００３０】
また、各住宅用蓄電池システム２０は、所定の期間（本実施形態においては、直近の２４時間）の間に放電した電力量の総和である積算放電電力量を算出可能に構成される。なお、前記所定の期間は、直近の２４時間に限るものではなく、任意に設定可能である。
【００３１】
共用蓄電池システム３０は、系統電源Ｓからの電力を適宜充放電するためのシステムである。共用蓄電池システム３０は、充放電可能な蓄電池や当該蓄電池の充放電を制御するパワーコンディショナ等を具備する。共用蓄電池システム３０は、複数の住宅Ｈに共用されるように設けられる（複数の住宅Ｈに対して、１つの共用蓄電池システム３０が設けられる）。共用蓄電池システム３０は、電力小売事業者に所有されている。
【００３２】
また、共用蓄電池システム３０は、配電線Ｌの中途部に接続される。具体的には、共用蓄電池システム３０は、配電線Ｌの共用連結点ＰＴに接続される。なお、共用連結点ＰＴは、配電線Ｌにおいて第Ｎ連結点ＰＮよりも上流側（系統電源Ｓ側）に配置される。
【００３３】
また、共用蓄電池システム３０は、対応するセンサ部１０のセンサ（共用センサ１０Ｔ）と電気的に接続される。共用蓄電池システム３０は、共用センサ１０Ｔから出力された信号が入力され、当該入力された信号に基づいて当該共用センサ１０Ｔの検出結果を取得可能に構成される。共用蓄電池システム３０は、共用センサ１０Ｔの検出結果に基づいて、放電（出力）する電力量を調整する負荷追従運転を行うことができる。
【００３４】
ＥＭＳ４０は、電力供給システム１の動作を管理するエネルギーマネジメントシステム（Ｅｎｅｒｇｙ  Ｍａｎａｇｅｍｅｎｔ  Ｓｙｓｔｅｍ）である。ＥＭＳ４０は、ＲＡＭやＲＯＭ等の記憶部や、ＣＰＵ等の演算処理部、Ｉ／Ｏ等の入出力部等を具備する。ＥＭＳ４０は、所定の演算処理や記憶処理等を行うことができる。ＥＭＳ４０には、電力供給システム１の動作を制御する際に用いられる種々の情報やプログラム等が予め記憶される。
【００３５】
また、ＥＭＳ４０は、共用蓄電池システム３０及び各住宅用蓄電池システム２０と電気的に接続される。ＥＭＳ４０は、所定の信号を共用蓄電池システム３０及び各住宅用蓄電池システム２０に出力し、当該共用蓄電池システム３０及び各住宅用蓄電池システム２０の動作を制御することができる。また、ＥＭＳ４０は、共用蓄電池システム３０及び各住宅用蓄電池システム２０から所定の信号が入力可能に構成される。
【００３６】
こうして、ＥＭＳ４０は、共用蓄電池システム３０及び各住宅用蓄電池システム２０の動作に関する情報を取得することができる。具体的には、ＥＭＳ４０は、各住宅用蓄電池システム２０の積算放電電力量を取得することができる。また、ＥＭＳ４０は、共用蓄電池システム３０及び住宅用蓄電池システム２０が放電している（放電待機である）か否かの情報を取得することができる。また、ＥＭＳ４０は、共用蓄電池システム３０及び各住宅用蓄電池システム２０において系統電源Ｓから購入している電力量（買電量）を取得することができる。また、ＥＭＳ４０は、各住宅用蓄電池システム２０の蓄電池残量を取得することができる。
【００３７】
また、ＥＭＳ４０は、電力供給システム１の動作に関するモードとして、複数のモードを実行可能に構成される。前記複数のモードには、「通常モード」及び「均等モード」が含まれる。通常モードとは、複数の住宅用蓄電池システム２０における放電量の偏りを許容するモードである。均等モードとは、複数の住宅用蓄電池システム２０における放電量の偏りを抑制する（放電量の均等化を図る）モードである。なお、通常モード及び均等モードの何れを実行するかは、例えば電力小売事業者によって適宜選択される。
【００３８】
以下では、通常モードが実行された場合における電力の供給（融通）態様について説明する。
【００３９】
系統電源Ｓからの電力は、各住宅Ｈの消費電力に応じて、配電線Ｌを介して当該各住宅Ｈに供給される。この場合、複数の蓄電池システム（共用蓄電池システム３０及び複数の住宅用蓄電池システム２０）のうち最も下流側に配置された第一住宅用蓄電池システム２１は、第一センサ１１の検出結果に基づいて負荷追従運転を行って、所定の電力量の電力を放電する。こうして、第一住宅用蓄電池システム２１から放電された電力は、各住宅Ｈへと供給される。なお、第一住宅用蓄電池システム２１から電力が放電されると、系統電源Ｓからの電力量が減少する。
【００４０】
また、各住宅Ｈの消費電力を第一住宅用蓄電池システム２１からの電力だけで賄えない場合には、不足する分の電力が系統電源Ｓから各住宅Ｈに供給される。すなわち、系統電源Ｓからの電力（不足する分の電力）が、配電線Ｌを介して各住宅Ｈに供給される。この場合、複数の蓄電池システム（共用蓄電池システム３０及び複数の住宅用蓄電池システム２０）のうち、第一住宅用蓄電池システム２１よりも一つ上流側に配置された第二住宅用蓄電池システム２２は、第二センサ１２の検出結果に基づいて負荷追従運転を行って、所定の電力量の電力を放電する。こうして、第二住宅用蓄電池システム２２から放電された電力は、各住宅Ｈへと供給される。なお、第二住宅用蓄電池システム２２から電力が放電されると、系統電源Ｓからの電力量がさらに減少する。
【００４１】
このように、通常モードが実行された場合においては、各住宅Ｈの消費電力が賄えない場合に、（放電が開始された）住宅用蓄電池システム２０よりも一つ上流側に配置された住宅用蓄電池システム２０からの放電が開始されるという動作が、繰り返し行われる。このように、各住宅Ｈの消費電力に対して、複数の蓄電池システムのうち、下流側に配置された蓄電池システムから上流側に配置された蓄電池システムへと順次放電が開始されていく。
【００４２】
なお、第Ｎ住宅用蓄電池システム２Ｎから電力が放電されても各住宅Ｈの消費電力が賄えない場合には、共用蓄電池システム３０からの電力が放電される。そして、共用蓄電池システム３０から電力が放電されても各住宅Ｈの消費電力が賄えない場合には、系統電源Ｓから不足する分の電力が購入される（系統電源Ｓから購入された電力が、各住宅Ｈへと供給される）。
【００４３】
こうして、電力供給システム１においては、通常モードを実行した場合に、各住宅用蓄電池システム２０から放電された電力を、当該各住宅用蓄電池システム２０を所有する住人（住宅Ｈ）だけでなく、その他の住人（住宅Ｈ）へも供給することとなる。すなわち、電力小売事業者が電力会社から一括購入して、各住宅用蓄電池システム２０に充電させた電力（それぞれの住宅Ｈの住人が料金を支払った後の電力）を、複数の住宅Ｈ間で適宜融通することができる。
【００４４】
なお、上述の如く各住宅用蓄電池システム２０から放電された電力は、当該各住宅用蓄電池システム２０を所有する住人が電力小売事業者から購入したものである。このような構成においては、一の住宅用蓄電池システム２０に充電させた電力（当該一の住宅用蓄電池システム２０を所有する住人が電力小売事業者から購入した電力）を、他の住宅用蓄電池システム２０を所有する住宅Ｈ（住人）へと融通した場合、当該融通した電力量分の料金が、最終的に当該他の住宅Ｈの住人から一の住宅Ｈの住人へと支払われる。
【００４５】
ここで、通常モードが実行された場合においては、複数の住宅用蓄電池システム２０における放電量に偏りが生じるため、問題が生じることがある。
【００４６】
具体的には、上述の如く、通常モードが実行された場合においては、各住宅Ｈの消費電力が賄えない場合に、下流側に配置された住宅用蓄電池システム２０から上流側に配置された住宅用蓄電池システム２０へと順次放電が開始されていくため、上流側よりも下流側に配置された住宅用蓄電池システム２０の方が放電量が多くなる。そのため、複数の住宅Ｈ間で電力が融通されたことによる料金（他の住宅Ｈの住人から一の住宅Ｈの住人へと支払われる料金）は、上流側よりも下流側に配置された住宅用蓄電池システム２０を所有する住人が多く得ることとなる。
【００４７】
例えば、図２に示すように、最も下流側に配置された第一住宅用蓄電池システム２１から放電された電力だけで各住宅Ｈの消費電力が賄えている場合には、その他の住宅用蓄電池システム２０（第二住宅用蓄電池システム２２や第Ｎ住宅用蓄電池システム２Ｎ等）から電力が放電されない。このような場合、複数の住宅Ｈ間で電力が融通されたことによる料金は、第一住宅用蓄電池システム２１を所有する第一住宅Ｈ１の住人だけが得ることとなる。
【００４８】
このように、通常モードが実行された場合においては、複数の住宅用蓄電池システム２０における放電量に偏りが生じるため、複数の住宅Ｈ（住人）間で得ることができる料金が不均等となり問題であった。また、複数の住宅用蓄電池システム２０における放電量に偏りが生じるため、複数の住宅用蓄電池システム２０における寿命（耐用年数）が不均等となり問題であった。
【００４９】
そこで、電力供給システム１においては、上述の如き問題を解決するため、均等モードを実行することができる。均等モードにおいては、通常モードにおける各住宅用蓄電池システム２０の動作（負荷追従運転）をベースとして、複数の住宅用蓄電池システム２０における放電量の偏りを抑制するため補正（各住宅用蓄電池システム２０の放電に所定の放電優先順位を設ける等の処理）が行われる。
【００５０】
以下では、均等モードが実行された場合におけるＥＭＳ４０の処理について説明する。
【００５１】
均等モードが実行される場合、ＥＭＳ４０は、まず事前設定の処理を行い、その後に蓄電池システム動作の処理を行う。
【００５２】
事前設定の処理においては、ＥＭＳ４０は、放電優先順位の設定や、各住宅用蓄電池システム２０の動作に関するモードの設定を行う。また、蓄電池システム動作の処理においては、ＥＭＳ４０は、事前設定の処理で行われた設定に基づいて、各住宅用蓄電池システム２０を具体的に動作させる。なお、放電優先順位とは、各住宅用蓄電池システム２０のうち、どの住宅用蓄電池システム２０を優先的に放電させるのかを決定する判断基準となるものである。
【００５３】
まず以下では、図３を用いて、均等モードが実行された場合におけるＥＭＳ４０による事前設定の処理について説明する。
【００５４】
ステップＳ１０１において、ＥＭＳ４０は、各住宅用蓄電池システム２０の積算放電電力量を取得する。これにより、ＥＭＳ４０は、各住宅用蓄電池システム２０において直近の２４時間の間に放電された電力量の総和を取得する。ＥＭＳ４０は、ステップＳ１０１の処理を実行した後、ステップＳ１０２の処理を実行する。
【００５５】
ステップＳ１０２において、ＥＭＳ４０は、ステップＳ１０１で取得した積算放電電力量に基づいて、各住宅用蓄電池システム２０の放電優先順位を設定する。具体的には、ＥＭＳ４０は、各住宅用蓄電池システム２０に対して、積算放電電力量の少ない順番に高い放電優先順位（第１位、第２位、・・・、第Ｎ位）を設定する。ＥＭＳ４０は、ステップＳ１０２の処理を実行した後、ステップＳ１０３の処理を実行する。
【００５６】
ここで、図４は、設定された放電優先順位の一例を示している。なお、図４においては、一例として、複数の住宅用蓄電池システム２０のうち、下流側よりも上流側に配置された住宅用蓄電池システム２０の方が、積算放電電力量が少なかった場合を示している。このような場合、ＥＭＳ４０は、積算放電電力量の少ない順番が１番目であった第Ｎ住宅用蓄電池システム２Ｎの放電優先順位を第一位に設定する。そして、ＥＭＳ４０は、同様に順次放電優先順位を設定していき、積算放電電力量の少ない順番がＮ−１番目であった第二住宅用蓄電池システム２２の放電優先順位を第Ｎ−１位に設定し、積算放電電力量の少ない順番がＮ番目であった第一住宅用蓄電池システム２１の放電優先順位を第Ｎ位に設定する。
【００５７】
ステップＳ１０３において、ＥＭＳ４０は、ステップＳ１０２で設定した放電優先順位に基づいて、最上位（第１位）の住宅用蓄電池システム２０を放電モードに設定し、その他（第２位、・・、第Ｎ−１位、第Ｎ位）の住宅用蓄電池システム２０を停止モードに設定する。
【００５８】
すなわち、図４に示した一例においては、複数の住宅用蓄電池システム２０のうち、最上位（第１位）の第Ｎ住宅用蓄電池システム２Ｎを放電モードに設定し、その他の住宅用蓄電池システム２０（第二住宅用蓄電池システム２２や第一住宅用蓄電池システム２１等）を停止モードに設定する。
【００５９】
こうして、ＥＭＳ４０は、ステップＳ１０３の処理を実行した後、事前設定の処理を終了する。
【００６０】
次に、図５を用いて、均等モードが実行された場合におけるＥＭＳ４０による第一実施形態に係る蓄電池システム動作の処理について説明する。
【００６１】
ステップＳ１１１において、ＥＭＳ４０は、共用蓄電池システム３０が放電しているか否かを判断する。ＥＭＳ４０は、共用蓄電池システム３０が放電していると判断すると（ステップＳ１１１でＹｅｓ）、ステップＳ１１２の処理を実行する。なお、共用蓄電池システム３０が放電している場合とは、放電モードに設定された（すなわち、動作的に放電可能な状態の）全ての住宅用蓄電池システム２０から電力が放電されても各住宅Ｈの消費電力が賄えない場合を示している。
【００６２】
ステップＳ１１２において、ＥＭＳ４０は、放電優先順位の１番低い住宅用蓄電池システム２０が放電モードに設定されているか否かを判断する。ＥＭＳ４０は、放電優先順位の１番低い住宅用蓄電池システム２０が放電モードに設定されていないと判断すると（ステップＳ１１２でＮｏ）、ステップＳ１１３の処理を実行する。なお、放電優先順位の１番低い住宅用蓄電池システム２０が放電モードに設定されていない場合とは、停止モードに設定された住宅用蓄電池システム２０が存在している場合を示している。
【００６３】
ステップＳ１１３において、ＥＭＳ４０は、現在停止モードに設定されている住宅用蓄電池システム２０のうち、最も放電優先順位の高い住宅用蓄電池システム２０を放電モードに変更する。こうして、ＥＭＳ４０は、放電モードに設定された住宅用蓄電池システム２０の数を増加させ、ひいては放電モードに設定された全ての住宅用蓄電池システム２０からの電力量を増加させる。ＥＭＳ４０は、ステップＳ１１３の処理を実行した後、ステップＳ１１４の処理を実行する。
【００６４】
このように、放電モードに設定された全ての住宅用蓄電池システム２０から電力が放電されても各住宅Ｈの消費電力が賄えない場合（ステップＳ１１１でＹｅｓ）であって、且つ停止モードに設定された住宅用蓄電池システム２０が存在している場合（ステップＳ１１２でＮｏ）には、放電モードに設定された住宅用蓄電池システム２０の数を増加させることによって、放電モードに設定された全ての住宅用蓄電池システム２０からの電力量を増加させることができる（ステップＳ１１３）。
【００６５】
ステップＳ１１４において、ＥＭＳ４０は、共用蓄電池システム３０が放電待機であるか否かを判断する。ＥＭＳ４０は、共用蓄電池システム３０が放電待機ではないと判断すると（ステップＳ１１４でＮｏ）、再びステップＳ１１２の処理を実行する。なお、共用蓄電池システム３０が放電待機ではない場合とは、放電モードに設定された全ての住宅用蓄電池システム２０から電力が放電されても各住宅Ｈの消費電力が賄えない場合（共用蓄電池システム３０も電力を放電している場合）を示している。
【００６６】
このような場合、ＥＭＳ４０は、再びステップＳ１１２の処理を実行することによって、可能であれば（停止モードに設定された住宅用蓄電池システム２０が存在していれば）、放電モードに設定された全ての住宅用蓄電池システム２０からの電力量を増加させるように、放電モードに設定された住宅用蓄電池システム２０の数を増加させる。
【００６７】
また、ステップＳ１１４において、ＥＭＳ４０は、共用蓄電池システム３０が放電待機であると判断すると（ステップＳ１１４でＹｅｓ）、蓄電池システム動作の処理を終了する。なお、共用蓄電池システム３０が放電待機である場合とは、放電モードに設定された各住宅用蓄電池システム２０から放電された電力によって、各住宅Ｈの消費電力が賄えている場合（共用蓄電池システム３０が放電する必要がない場合）を示している。
【００６８】
また、ステップＳ１１２において、ＥＭＳ４０は、放電優先順位の１番低い住宅用蓄電池システム２０が放電モードに設定されていると判断すると（ステップＳ１１２でＹｅｓ）、蓄電池システム動作の処理を終了する。なお、放電優先順位の１番低い住宅用蓄電池システム２０が放電モードに設定されている場合とは、停止モードに設定された住宅用蓄電池システム２０が存在していない場合を示している。
【００６９】
このような場合、ＥＭＳ４０は、放電モードに設定された住宅用蓄電池システム２０の数を増加させることができないため、放電モードに設定された全ての住宅用蓄電池システム２０からの電力量を増加させることもできない。こうして、放電優先順位の１番低い住宅用蓄電池システム２０が放電モードに設定されている場合には、系統電源Ｓから不足する分の電力が購入され、当該購入された電力が各住宅Ｈへと供給される。
【００７０】
また、ステップＳ１１１において、ＥＭＳ４０は、共用蓄電池システム３０が放電していないと判断すると（ステップＳ１１１でＮｏ）、蓄電池システム動作の処理を終了する。なお、共用蓄電池システム３０が放電していない場合とは、放電モードに設定された各住宅用蓄電池システム２０から放電された電力によって、各住宅Ｈの消費電力が賄えている場合（共用蓄電池システム３０が放電する必要がない場合）を示している。
【００７１】
このように、第一実施形態に係る蓄電池システム動作の処理により、住宅用蓄電池システム２０の動作（放電）を制御することによって、複数の住宅用蓄電池システム２０における放電量の偏り（積算放電電力量の偏り）の解消を図ることができる（特定の住宅用蓄電池システム２０に放電や充電が偏るのを効果的に防止することができる）。こうして、複数の住宅用蓄電池システム２０における放電量に生じた偏りの解消を図ることによって、複数の住宅Ｈ（住人）間で得ることができる料金の均等化を図ることができる。以下において、図６を用いて具体的に説明する。
【００７２】
ここで、図６は、図４に示した放電優先順位の一例において、均等モード（蓄電池システム動作の処理）が実行された場合の電力の供給態様を示している。図４に示す一例においては、放電モードに設定された蓄電池システムが第Ｎ住宅用蓄電池システム２Ｎだけであったため、各住宅Ｈの消費電力に対して、当該第Ｎ住宅用蓄電池システム２Ｎから放電された電力が供給されている。
【００７３】
そして、もし第Ｎ住宅用蓄電池システム２Ｎから放電された電力だけでは、各住宅Ｈの消費電力が賄えない場合（ステップＳ１１１でＹｅｓ）には、現在停止モードに設定されている住宅用蓄電池システム２０のうち、最も放電優先順位の高い住宅用蓄電池システム２０（本実施形態においては、図４に示す第Ｎ−１住宅用蓄電池システム）を放電モードに変更する（ステップＳ１１３）。こうして、放電モードに設定された住宅用蓄電池システム２０の数を１つから２つに増加させ、ひいては放電モードに設定された全ての住宅用蓄電池システム２０（当該第Ｎ住宅用蓄電池システム２Ｎ及び前記第Ｎ−１住宅用蓄電池システム）からの電力量を増加させる。
【００７４】
このように、蓄電池システム動作の処理により各住宅用蓄電池システム２０の放電に所定の放電優先順位を設けることによって、複数の住宅用蓄電池システム２０における放電量の偏り（積算放電電力量の偏り）の解消を図ることができる。こうして、複数の住宅用蓄電池システム２０における放電量に生じた偏りの解消を図ることによって、複数の住宅Ｈ（住人）間で得ることができる料金の均等化を図ることができる。
【００７５】
また、複数の住宅用蓄電池システム２０における放電量に生じた偏りの解消を図ることによって、当該複数の住宅用蓄電池システム２０における充放電回数の偏りも解消することができる。こうして、複数の住宅用蓄電池システム２０における充放電回数を均等化させることができるため、ひいては当該複数の住宅用蓄電池システム２０における寿命（耐用年数）の均等化を図ることができる。
【００７６】
次に、図７を用いて、均等モードが実行された場合におけるＥＭＳ４０による第二実施形態（第一実施形態の別例）に係る蓄電池システム動作の処理について説明する。
【００７７】
なお、第二実施形態に係る蓄電池システム動作の処理において、第一実施形態に係る蓄電池システム動作の処理と異なる点は、ステップＳ１１４の処理が無い点である。具体的には、ＥＭＳ４０は、ステップＳ１１３の処理を実行した後、蓄電池システム動作の処理を一旦終了し、多少の期間が経過した後、再びステップＳ１１１から当該蓄電池システム動作の処理を開始する。
【００７８】
こうして、ＥＭＳ４０は、例えばステップＳ１１３の処理が実行された後に、共用蓄電池システム３０が放電していると判断すると（ステップＳ１１１でＹｅｓ）、停止モードに設定された住宅用蓄電池システム２０が存在している場合（ステップＳ１１２でＮｏ）に、放電モードに設定された住宅用蓄電池システム２０の数を増加させることによって、放電モードに設定された全ての住宅用蓄電池システム２０からの電力量を増加させることができる（ステップＳ１１３）。
【００７９】
また、ＥＭＳ４０は、例えばステップＳ１１３の処理が実行された後に、共用蓄電池システム３０が放電していないと判断すると（ステップＳ１１１でＮｏ）、放電モードに設定された各住宅用蓄電池システム２０から放電された電力によって、各住宅Ｈの消費電力が賄えているため（共用蓄電池システム３０が放電する必要がないため）、蓄電池システム動作の処理を一旦終了する。
【００８０】
このように、第二実施形態に係る蓄電池システム動作の処理により、第一実施形態に係る蓄電池システム動作の処理と同様に、住宅用蓄電池システム２０の動作（放電）を制御することによって、複数の住宅用蓄電池システム２０における放電量の偏り（積算放電電力量の偏り）の解消を図ることができる。こうして、複数の住宅用蓄電池システム２０における放電量に生じた偏りの解消を図ることによって、複数の住宅Ｈ（住人）間で得ることができる料金の均等化を図ることができる。
【００８１】
次に、図８を用いて、均等モードが実行された場合におけるＥＭＳ４０による第三実施形態に係る蓄電池システム動作の処理について説明する。
【００８２】
なお、第三実施形態に係る蓄電池システム動作の処理において、第一実施形態に係る蓄電池システム動作の処理と異なる点は、ステップＳ１２１からステップＳ１２４の処理が加わった点である。以下では便宜上、第三実施形態に係る蓄電池システム動作の処理において、第一実施形態に係る蓄電池システム動作の処理と異なる点（ステップＳ１２１からステップＳ１２４の処理）について説明を行い、第一実施形態に係る蓄電池システム動作の処理と同一の点（ステップＳ１１１からステップＳ１１４の処理）については説明を省略する。
【００８３】
ステップＳ１２１において、ＥＭＳ４０は、共用蓄電池システム３０において系統電源Ｓから購入している電力が、所定の最低放電閾値ａよりも大きいか否かを判断する。ＥＭＳ４０は、共用蓄電池システム３０において系統電源Ｓから購入している電力が、最低放電閾値ａよりも大きいと判断すると（ステップＳ１２１でＹｅｓ）、ステップＳ１２２の処理を実行する。
【００８４】
ここで、最低放電閾値ａとは、少なくとも１つ以上の住宅用蓄電池システム２０が放電を行っている場合に系統電源Ｓから購入することが、電力会社との規定により設定された電力の値であり、例えば２００Ｗである。すなわち、本実施形態において、共用蓄電池システム３０において系統電源Ｓから購入している電力が最低放電閾値ａよりも大きい場合とは、少なくとも１つ以上の住宅用蓄電池システム２０が放電を行っている場合であって、且つ、放電モードに設定された全ての住宅用蓄電池システム２０から電力が放電されても各住宅Ｈの消費電力が賄えない場合（不足する分の電力が系統電源Ｓから購入された場合）を示している。
【００８５】
ステップＳ１２２において、ＥＭＳ４０は、放電優先順位の１番低い住宅用蓄電池システム２０が放電モードに設定されているか否かを判断する。なお、この処理の内容は、ステップＳ１１２と同一である。ＥＭＳ４０は、放電優先順位の１番低い住宅用蓄電池システム２０が放電モードに設定されていないと判断すると（ステップＳ１２２でＮｏ）、ステップＳ１２３の処理を実行する。
【００８６】
ステップＳ１２３において、ＥＭＳ４０は、現在停止モードに設定されている住宅用蓄電池システム２０のうち、最も放電優先順位の高い住宅用蓄電池システム２０を放電モードに変更する。なお、この処理の内容は、ステップＳ１１３と同一である。ＥＭＳ４０は、ステップＳ１２３の処理を実行した後、ステップＳ１２４の処理を実行する。
【００８７】
このように、放電モードに設定された全ての住宅用蓄電池システム２０から電力が放電されても各住宅Ｈの消費電力が賄えない場合（ステップＳ１２１でＹｅｓ）であって、且つ停止モードに設定された住宅用蓄電池システム２０が存在している場合（ステップＳ１２２でＮｏ）には、放電モードに設定された住宅用蓄電池システム２０の数を増加させることによって、放電モードに設定された全ての住宅用蓄電池システム２０からの電力量を増加させることができる（ステップＳ１２３）。
【００８８】
ステップＳ１２４において、ＥＭＳ４０は、共用蓄電池システム３０において系統電源Ｓから購入している電力が最低放電閾値ａ以下であるか否かを判断する。ＥＭＳ４０は、共用蓄電池システム３０において系統電源Ｓから購入している電力が、最低放電閾値ａ以下ではないと判断すると（ステップＳ１２４でＮｏ）、再びステップＳ１２２の処理を実行する。なお、共用蓄電池システム３０において系統電源Ｓから購入している電力が最低放電閾値ａ以下ではない場合とは、放電モードに設定された全ての住宅用蓄電池システム２０から電力が放電されても各住宅Ｈの消費電力が賄えない場合（共用蓄電池システム３０も電力を放電している場合）を示している。
【００８９】
このような場合、ＥＭＳ４０は、再びステップＳ１２２の処理を実行することによって、可能であれば（停止モードに設定された住宅用蓄電池システム２０が存在していれば）、放電モードに設定された全ての住宅用蓄電池システム２０からの電力量を増加させるように、放電モードに設定された住宅用蓄電池システム２０の数を増加させる。
【００９０】
また、ステップＳ１２４において、ＥＭＳ４０は、共用蓄電池システム３０において系統電源Ｓから購入している電力が最低放電閾値ａ以下であると判断すると（ステップＳ１２４でＹｅｓ）、蓄電池システム動作の処理を終了する。なお、共用蓄電池システム３０において系統電源Ｓから購入している電力が最低放電閾値ａ以下である場合とは、少なくとも１つ以上の住宅用蓄電池システム２０が放電を行っている場合であって、且つ、放電モードに設定された各住宅用蓄電池システム２０から放電された電力によって、各住宅Ｈの消費電力が賄えている場合（不足する分の電力が系統電源Ｓから購入されていない場合）か、又は全ての住宅用蓄電池システム２０が放電を行っていない場合を示している。
【００９１】
また、ステップＳ１２２において、ＥＭＳ４０は、放電優先順位の１番低い住宅用蓄電池システム２０が放電モードに設定されていると判断すると（ステップＳ１２２でＹｅｓ）、ステップＳ１１２でＹｅｓの場合と同様に、蓄電池システム動作の処理を終了する。
【００９２】
このように、第三実施形態に係る蓄電池システム動作の処理のうち、ステップＳ１２１からステップＳ１２４までの処理により、第一実施形態に係る蓄電池システム動作の処理（ステップＳ１１１からステップＳ１１４までの処理）と同様に、住宅用蓄電池システム２０の動作（放電）を制御することによって、複数の住宅用蓄電池システム２０における放電量の偏り（積算放電電力量の偏り）の解消を図ることができる。こうして、複数の住宅用蓄電池システム２０における放電量に生じた偏りの解消を図ることによって、複数の住宅Ｈ（住人）間で得ることができる料金の均等化を図ることができる。
【００９３】
また、ステップＳ１２１において、ＥＭＳ４０は、共用蓄電池システム３０において系統電源Ｓから購入している電力が最低放電閾値ａよりも大きくないと判断すると（ステップＳ１２１でＮｏ）、ステップＳ１１１の処理を実行する。なお、共用蓄電池システム３０において系統電源Ｓから購入している電力が最低放電閾値ａよりも大きくない場合とは、少なくとも１つ以上の住宅用蓄電池システム２０が放電を行っている場合であって、且つ、放電モードに設定された各住宅用蓄電池システム２０から放電された電力によって、各住宅Ｈの消費電力が賄えている場合（不足する分の電力が系統電源Ｓから購入されていない場合）か、又は全ての住宅用蓄電池システム２０が放電を行っていない場合を示している。
【００９４】
こうして、ステップＳ１１１からステップＳ１１４においては、ＥＭＳ４０は、第一実施形態に係る蓄電池システム動作の処理と同一の処理を実行する。すなわち、第三実施形態に係る蓄電池システム動作の処理のうち、ステップＳ１１１からステップＳ１１４までの処理により、第一実施形態に係る蓄電池システム動作の処理と同様に、住宅用蓄電池システム２０の動作（放電）を制御することによって、複数の住宅用蓄電池システム２０における放電量の偏り（積算放電電力量の偏り）の解消を図ることができる。こうして、複数の住宅用蓄電池システム２０における放電量に生じた偏りの解消を図ることによって、複数の住宅Ｈ（住人）間で得ることができる料金の均等化を図ることができる。
【００９５】
このように、第三実施形態に係る蓄電池システム動作の処理においては、共用蓄電池システム３０において系統電源Ｓから購入している電力が最低放電閾値ａよりも大きいか否かの判断（ステップＳ１２１）と、共用蓄電池システム３０が放電しているか否かの判断（ステップＳ１１１）という互いに異なる２つの判断に基づいて、複数の住宅用蓄電池システム２０における放電量に生じた偏りの解消を図っている。すなわち、２つの判断のうち、１つの判断が何らかの原因により正確に行われない場合であっても、残りの１つの判断に基づいて、複数の住宅用蓄電池システム２０における放電量に生じた偏りの解消を図ることができるため、複数の住宅Ｈ（住人）間で得ることができる料金の均等化をより確実に図ることができる。
【００９６】
なお、第三実施形態に係る蓄電池システム動作の処理においては、ステップＳ１２４の処理を実行しているが、第一実施形態に係る蓄電池システム動作の処理におけるステップＳ１１４と同様に、当該処理を省略することもできる（第二実施形態（第一実施形態の別例）に係る蓄電池システム動作の処理を参照）。
【００９７】
次に、図９を用いて、均等モードが実行された場合におけるＥＭＳ４０による第四実施形態に係る蓄電池システム動作の処理について説明する。
【００９８】
なお、第四実施形態に係る蓄電池システム動作の処理において、第一実施形態に係る蓄電池システム動作の処理と異なる点は、ステップＳ１３１からステップＳ１３３の処理が加わった点である。以下では便宜上、第四実施形態に係る蓄電池システム動作の処理において、第一実施形態に係る蓄電池システム動作の処理と異なる点（ステップＳ１３１からステップＳ１３３の処理）について説明を行い、第一実施形態に係る蓄電池システム動作の処理と同一の点（ステップＳ１１１からステップＳ１１４の処理）については説明を省略する。
【００９９】
ステップＳ１１１でＮｏである場合、ステップＳ１１２でＹｅｓである場合、又は、ステップＳ１１４でＹｅｓである場合、ＥＭＳ４０は、ステップＳ１３１の処理を実行する。
【０１００】
なお、ステップＳ１１１でＮｏである場合、及び、ステップＳ１１４でＹｅｓである場合とは、各住宅Ｈの消費電力が賄えている場合（共用蓄電池システム３０が放電する必要がない場合）を示している。また、ステップＳ１１２でＹｅｓである場合とは、停止モードに設定された住宅用蓄電池システム２０が存在していない場合を示している。このように、ステップＳ１１１でＮｏである場合、ステップＳ１１２でＹｅｓである場合、又は、ステップＳ１１４でＹｅｓである場合とは、放電モードに設定された住宅用蓄電池システム２０の数を増加させる処理を行わない（行うことができない、又は行う必要がない）場合を示している。
【０１０１】
このように、第四実施形態に係る蓄電池システム動作の処理において、ＥＭＳ４０は、放電モードに設定された住宅用蓄電池システム２０の数を増加させる処理を行わない場合、ステップＳ１３１の処理を実行する。
【０１０２】
ステップＳ１３１において、ＥＭＳ４０は、放電モードに設定された各住宅用蓄電池システム２０に、放電待機である住宅用蓄電池システム２０があるか否かを判断する。ＥＭＳ４０は、放電モードに設定された各住宅用蓄電池システム２０に、放電待機である住宅用蓄電池システム２０があると判断すると（ステップＳ１３１でＹｅｓ）、ステップＳ１３２の処理を実行する。なお、放電モードに設定された各住宅用蓄電池システム２０に、放電待機である住宅用蓄電池システム２０がある場合とは、各住宅Ｈの消費電力が賄えており、必要以上の数の住宅用蓄電池システム２０が放電モードに設定されている場合を示している。
【０１０３】
ステップＳ１３２において、ＥＭＳ４０は、放電モードに設定された全ての住宅用蓄電池システム２０のうち、最も放電優先順位の小さい住宅用蓄電池システム２０を停止モードに変更する。こうして、ＥＭＳ４０は、放電モードに設定された住宅用蓄電池システム２０の数を減少させ、放電優先順位の小さい住宅用蓄電池システム２０からの放電を極力行わないようにする。ＥＭＳ４０は、ステップＳ１３２の処理を実行した後、ステップＳ１３３の処理を実行する。
【０１０４】
ステップＳ１３３において、ＥＭＳ４０は、放電モードに設定された全ての住宅用蓄電池システム２０が放電しているか否かを判断する。ＥＭＳ４０は、放電モードに設定された全ての住宅用蓄電池システム２０が放電していないと判断すると（ステップＳ１３３でＮｏ）、再びステップＳ１３２の処理を実行する。
【０１０５】
なお、放電モードに設定された全ての住宅用蓄電池システム２０が放電していない場合（ステップＳ１３３でＮｏ）とは、放電モードに設定された全ての住宅用蓄電池システム２０のうち、放電待機である住宅用蓄電池システム２０がある場合、すなわち各住宅Ｈの消費電力が賄えており、必要以上の数の住宅用蓄電池システム２０が放電モードに設定されている場合を示している。
【０１０６】
このような場合、ＥＭＳ４０は、再びステップＳ１３２の処理を実行することによって、放電優先順位の小さい住宅用蓄電池システム２０からの放電を極力行わないように、最も放電優先順位の小さい住宅用蓄電池システム２０を停止モードに変更する。
【０１０７】
また、ステップＳ１３３において、ＥＭＳ４０は、放電モードに設定された全ての住宅用蓄電池システム２０が放電していると判断すると（ステップＳ１３３でＹｅｓ）、蓄電池システム動作の処理を終了する。なお、放電モードに設定された全ての住宅用蓄電池システム２０が放電している場合とは、放電モードに設定された住宅用蓄電池システム２０の数をこれ以上減少させることができない場合を示している。
【０１０８】
また、ステップＳ１３１において、ＥＭＳ４０は、放電モードに設定された各住宅用蓄電池システム２０に、放電待機である住宅用蓄電池システム２０がないと判断すると（ステップＳ１３１でＮｏ）、蓄電池システム動作の処理を終了する。なお、放電モードに設定された各住宅用蓄電池システム２０に、放電待機である住宅用蓄電池システム２０がない場合とは、放電モードに設定された住宅用蓄電池システム２０の数をこれ以上減少させることができない場合を示している。
【０１０９】
このように、第四実施形態に係る蓄電池システム動作の処理により、住宅用蓄電池システム２０の動作（放電及び放電停止）を制御することによって、例えば第一実施形態に係る蓄電池システム動作の処理よりも住宅用蓄電池システム２０からの放電量を細かく調整しながら、複数の住宅用蓄電池システム２０における放電量の偏り（積算放電電力量の偏り）の解消を図ることができる。こうして、複数の住宅用蓄電池システム２０における放電量に生じた偏りの解消を図ることによって、複数の住宅Ｈ（住人）間で得ることができる料金の均等化をより確実に図ることができる。
【０１１０】
なお、第四実施形態に係る蓄電池システム動作の処理においては、ステップＳ１３３の処理を実行しているが、第一実施形態に係る蓄電池システム動作の処理におけるステップＳ１１４と同様に、当該処理を省略することもできる（第二実施形態（第一実施形態の別例）に係る蓄電池システム動作の処理を参照）。
【０１１１】
以下では、図１０を用いて、第二実施形態に係る電力供給システム２００について説明する。
【０１１２】
図１０に示すように、第二実施形態に係る電力供給システム２００において、第一実施形態に係る電力供給システム１と異なる点は、共用蓄電池システム３０及びセンサ部１０の共用センサ１０Ｔを具備しない点である。
【０１１３】
このような電力供給システム２００においても、電力供給システム１と同様に、上述の如く問題を解決するため、均等モードを実行することができる。また、均等モードが実行される場合、ＥＭＳ４０は、まず事前設定の処理を行い、その後に蓄電池システム動作の処理を行う。なお、電力供給システム２００において、均等モードが実行された場合におけるＥＭＳ４０による事前設定の処理は、電力供給システム１と同様であるため、その説明は省略する。
【０１１４】
以下では、図１１を用いて、第二実施形態に係る電力供給システム２００において、均等モードが実行された場合におけるＥＭＳ４０による第一実施形態に係る蓄電池システム動作の処理（以下では便宜上「第五実施形態に係る蓄電池システム動作の処理」と称する）について説明する。
【０１１５】
ステップＳ１５１において、ＥＭＳ４０は、最も上流側に配置されている住宅用蓄電池システム（本実施形態においては、第Ｎ住宅用蓄電池システム２Ｎ）において系統電源Ｓから購入している電力が、最低放電閾値ａよりも大きいか否かを判断する。ＥＭＳ４０は、第Ｎ住宅用蓄電池システム２Ｎにおいて系統電源Ｓから購入している電力が、最低放電閾値ａよりも大きいと判断すると（ステップＳ１５１でＹｅｓ）、ステップＳ１５２の処理を実行する。
【０１１６】
なお、第Ｎ住宅用蓄電池システム２Ｎにおいて系統電源Ｓから購入している電力が最低放電閾値ａよりも大きい場合とは、少なくとも１つ以上の住宅用蓄電池システム２０が放電を行っている場合であって、且つ、放電モードに設定された全ての住宅用蓄電池システム２０から電力が放電されても各住宅Ｈの消費電力が賄えていない場合（不足する分の電力が系統電源Ｓから購入された場合）を示している。
【０１１７】
ステップＳ１５２において、ＥＭＳ４０は、放電優先順位の１番低い住宅用蓄電池システム２０が放電モードに設定されているか否かを判断する。なお、この処理の内容は、ステップＳ１１２と同一である。ＥＭＳ４０は、放電優先順位の１番低い住宅用蓄電池システム２０が放電モードに設定されていないと判断すると（ステップＳ１５２でＮｏ）、ステップＳ１５３の処理を実行する。
【０１１８】
ステップＳ１５３において、ＥＭＳ４０は、現在停止モードに設定されている住宅用蓄電池システム２０のうち、最も放電優先順位の高い住宅用蓄電池システム２０を放電モードに変更する。なお、この処理の内容は、ステップＳ１１３と同一である。ＥＭＳ４０は、ステップＳ１５３の処理を実行した後、ステップＳ１５４の処理を実行する。
【０１１９】
ステップＳ１５４において、ＥＭＳ４０は、最も上流側に配置されている住宅用蓄電池システム（本実施形態においては、第Ｎ住宅用蓄電池システム２Ｎ）において系統電源Ｓから購入している電力が、最低放電閾値ａ以下であるか否かを判断する。ＥＭＳ４０は、第Ｎ住宅用蓄電池システム２Ｎにおいて系統電源Ｓから購入している電力が、最低放電閾値ａ以下ではないと判断すると（ステップＳ１５４でＮｏ）、再びステップＳ１５２の処理を実行する。
【０１２０】
なお、第Ｎ住宅用蓄電池システム２Ｎにおいて系統電源Ｓから購入している電力が最低放電閾値ａ以下ではない場合とは、少なくとも１つ以上の住宅用蓄電池システム２０が放電を行っている場合であって、且つ、放電モードに設定された全ての住宅用蓄電池システム２０から電力が放電されても各住宅Ｈの消費電力が賄えていない場合（不足する分の電力が系統電源Ｓから購入された場合）を示している。
【０１２１】
このような場合、ＥＭＳ４０は、再びステップＳ１５２の処理を実行することによって、可能であれば（停止モードに設定された住宅用蓄電池システム２０が存在していれば）、放電モードに設定された全ての住宅用蓄電池システム２０からの電力量を増加させるように、放電モードに設定された住宅用蓄電池システム２０の数を増加させる。
【０１２２】
また、ステップＳ１５４において、ＥＭＳ４０は、第Ｎ住宅用蓄電池システム２Ｎにおいて系統電源Ｓから購入している電力が、最低放電閾値ａ以下であると判断すると（ステップＳ１５４でＹｅｓ）、蓄電池システム動作の処理を終了する。なお、第Ｎ住宅用蓄電池システム２Ｎにおいて系統電源Ｓから購入している電力が、最低放電閾値ａ以下である場合とは、少なくとも１つ以上の住宅用蓄電池システム２０が放電を行っている場合であって、且つ、放電モードに設定された各住宅用蓄電池システム２０から放電された電力によって、各住宅Ｈの消費電力が賄えている場合（不足する分の電力が系統電源Ｓから購入されていない場合）か、又は全ての住宅用蓄電池システム２０が放電を行っていない場合を示している。
【０１２３】
また、ステップＳ１５２において、ＥＭＳ４０は、放電優先順位の１番低い住宅用蓄電池システム２０が放電モードに設定されていると判断すると（ステップＳ１５２でＹｅｓ）、ステップＳ１１２でＹｅｓの場合と同様に、蓄電池システム動作の処理を終了する。
【０１２４】
このような場合、ＥＭＳ４０は、放電モードに設定された住宅用蓄電池システム２０の数を増加させることができないため、放電モードに設定された全ての住宅用蓄電池システム２０からの電力量を増加させることもできない。こうして、放電優先順位の１番低い住宅用蓄電池システム２０が放電モードに設定されている場合には、系統電源Ｓから不足する分の電力が購入され、当該購入された電力が各住宅Ｈへと供給される。
【０１２５】
このように、第五実施形態に係る蓄電池システム動作の処理により、第一実施形態に係る蓄電池システム動作の処理と同様に、住宅用蓄電池システム２０の動作（放電）を制御することによって、複数の住宅用蓄電池システム２０における放電量の偏り（積算放電電力量の偏り）の解消を図ることができる。こうして、複数の住宅用蓄電池システム２０における放電量に生じた偏りの解消を図ることによって、複数の住宅Ｈ（住人）間で得ることができる料金の均等化を図ることができる。
【０１２６】
また、第五実施形態に係る蓄電池システム動作の処理においては、第一実施形態に係る蓄電池システム動作の処理とは異なり、共用蓄電池システム３０が放電しているか否かの判断（ステップＳ１１１）に基づくのではなく、第Ｎ住宅用蓄電池システム２Ｎにおいて系統電源Ｓから購入している電力が最低放電閾値ａよりも大きいか否かの判断（ステップＳ１５１）に基づいて、複数の住宅用蓄電池システム２０における放電量に生じた偏りの解消を図っている。こうして、共用蓄電池システム３０を有していない場合であっても、複数の住宅Ｈ（住人）間で得ることができる料金の均等化を図ることができる。
【０１２７】
なお、第五実施形態に係る蓄電池システム動作の処理においては、ステップＳ１５４の処理を実行しているが、第一実施形態に係る蓄電池システム動作の処理におけるステップＳ１１４と同様に、当該処理を省略することもできる（第二実施形態（第一実施形態の別例）に係る蓄電池システム動作の処理を参照）。
【０１２８】
以下では、図１２及び図１３を用いて、第二実施形態に係る電力供給システム２００において、均等モードが実行された場合におけるＥＭＳ４０による第二実施形態に係る蓄電池システム動作の処理（以下では便宜上「第六実施形態に係る蓄電池システム動作の処理」と称する）について説明する。
【０１２９】
なお、第六実施形態に係る蓄電池システム動作の処理において、第五実施形態に係る蓄電池システム動作の処理と異なる点は、ステップＳ１６１からステップＳ１７１の処理が加わった点である。以下では便宜上、第六実施形態に係る蓄電池システム動作の処理において、第五実施形態に係る蓄電池システム動作の処理と異なる点（ステップＳ１６１からステップＳ１７１の処理）について説明を行い、第五実施形態に係る蓄電池システム動作の処理と同一の点（ステップＳ１５１からステップＳ１５４の処理）については説明を省略する。
【０１３０】
ＥＭＳ４０は、ステップＳ１５１でＹｅｓである場合、ステップＳ１６１の処理を実行する。
【０１３１】
ステップＳ１６１において、ＥＭＳ４０は、各住宅用蓄電池システム２０の蓄電池残量が所定の放電可能閾値ｂよりも大きいか否かを判断する。ＥＭＳ４０は、各住宅用蓄電池システム２０の蓄電池残量が放電可能閾値ｂよりも大きいと判断すると（ステップＳ１６１でＹｅｓ）、ステップＳ１５２の処理を実行する。また、ＥＭＳ４０は、各住宅用蓄電池システム２０の蓄電池残量が放電可能閾値ｂよりも大きくない（少なくとも１つ以上の住宅用蓄電池システム２０の蓄電池残量が放電可能閾値ｂ以下である）と判断すると（ステップＳ１６１でＮｏ）、ステップＳ１６２の処理を実行する。
【０１３２】
ここで、放電可能閾値ｂとは、住宅用蓄電池システム２０が放電を行うための蓄電池残量の下限値である。すなわち、本実施形態において、各住宅用蓄電池システム２０の蓄電池残量が放電可能閾値ｂよりも大きい場合とは、全ての住宅用蓄電池システム２０が放電モードであれば放電可能である場合を示している。また、各住宅用蓄電池システム２０の蓄電池残量が放電可能閾値ｂよりも大きくない（少なくとも１つ以上の住宅用蓄電池システム２０の蓄電池残量が放電可能閾値ｂ以下である）場合とは、少なくとも１つ以上の住宅用蓄電池システム２０が放電モードであっても放電不可能である場合を示している。
【０１３３】
ステップＳ１６２において、ＥＭＳ４０は、各住宅用蓄電池システム２０の蓄電池残量が放電可能閾値ｂ以下であるか否かを判断する。ＥＭＳ４０は、各住宅用蓄電池システム２０の蓄電池残量が放電可能閾値ｂ以下ではないと判断すると（ステップＳ１６２でＮｏ）、ステップＳ１６３の処理を実行する。なお、各住宅用蓄電池システム２０の蓄電池残量が放電可能閾値ｂ以下ではない場合とは、少なくとも１つ以上の住宅用蓄電池システム２０が放電モードであれば放電可能である場合を示している。
【０１３４】
ステップＳ１６３において、ＥＭＳ４０は、蓄電池残量が放電可能閾値ｂよりも大きい住宅用蓄電池システム２０のみを抽出し、当該抽出した各住宅用蓄電池システム２０の放電優先順位を設定する。具体的には、ＥＭＳ４０は、前記抽出した各住宅用蓄電池システム２０の積算放電電力量を取得し、当該取得した積算放電電力量に基づいて、当該抽出した各住宅用蓄電池システム２０の放電優先順位を設定する。ＥＭＳ４０は、ステップＳ１６３の処理を実行した後、ステップＳ１６４の処理を実行する。
【０１３５】
ステップＳ１６４において、ＥＭＳ４０は、ステップＳ１６３で設定された放電優先順位の１番低い住宅用蓄電池システム２０が、放電モードに設定されているか否かを判断する。ＥＭＳ４０は、放電優先順位の１番低い住宅用蓄電池システム２０が放電モードに設定されていないと判断すると（ステップＳ１６４でＮｏ）、ステップＳ１６５の処理を実行する。
【０１３６】
ステップＳ１６５において、ＥＭＳ４０は、ステップＳ１６３で放電優先順位が設定された住宅用蓄電池システム２０であって、且つ現在停止モードに設定されている住宅用蓄電池システム２０のうち、最も放電優先順位の高い住宅用蓄電池システム２０を放電モードに変更する。ＥＭＳ４０は、ステップＳ１６５の処理を実行した後、ステップＳ１６６の処理を実行する。
【０１３７】
ステップＳ１６６において、ＥＭＳ４０は、最も上流側に配置されている住宅用蓄電池システム（本実施形態においては、第Ｎ住宅用蓄電池システム２Ｎ）において系統電源Ｓから購入している電力が、最低放電閾値ａ以下であるか否かを判断する。ＥＭＳ４０は、第Ｎ住宅用蓄電池システム２Ｎにおいて系統電源Ｓから購入している電力が、最低放電閾値ａ以下ではないと判断すると（ステップＳ１６６でＮｏ）、再びステップＳ１６４の処理を実行する。
【０１３８】
なお、第Ｎ住宅用蓄電池システム２Ｎにおいて系統電源Ｓから購入している電力が最低放電閾値ａ以下ではない場合とは、ステップＳ１６３で放電優先順位が設定された住宅用蓄電池システム２０のうち、少なくとも１つ以上の住宅用蓄電池システム２０が放電を行っている場合であって、且つ、放電モードに設定された全ての住宅用蓄電池システム２０から電力が放電されても各住宅Ｈの消費電力が賄えない場合（不足する分の電力が系統電源Ｓから購入された場合）を示している。
【０１３９】
このような場合、ＥＭＳ４０は、再びステップＳ１６４の処理を実行することによって、可能であれば（ステップＳ１６３で放電優先順位が設定された住宅用蓄電池システム２０のうち、停止モードに設定された住宅用蓄電池システム２０が存在していれば）、放電モードに設定された全ての住宅用蓄電池システム２０からの電力量を増加させるように、放電モードに設定された住宅用蓄電池システム２０の数を増加させる。
【０１４０】
また、ステップＳ１６６において、ＥＭＳ４０は、第Ｎ住宅用蓄電池システム２Ｎにおいて系統電源Ｓから購入している電力が、最低放電閾値ａ以下であると判断すると（ステップＳ１６６でＹｅｓ）、ステップＳ１６７の処理を実行する。なお、第Ｎ住宅用蓄電池システム２Ｎにおいて系統電源Ｓから購入している電力が最低放電閾値ａ以下である場合とは、ステップＳ１６３で放電優先順位が設定された住宅用蓄電池システム２０のうち、少なくとも１つ以上の住宅用蓄電池システム２０が放電を行っている場合であって、且つ、放電モードに設定された各住宅用蓄電池システム２０から放電された電力によって、各住宅Ｈの消費電力が賄えている場合（不足する分の電力が系統電源Ｓから購入されていない場合）か、又は全ての住宅用蓄電池システム２０が放電を行っていない場合を示している。  
【０１４１】
また同様に、ステップＳ１５１でＮｏである場合、ステップＳ１５２でＹｅｓである場合、ステップＳ１５４でＹｅｓである場合、ステップＳ１６２でＹｅｓである場合、又は、ステップＳ１６４でＹｅｓである場合、ＥＭＳ４０は、ステップＳ１６７の処理を実行する。
【０１４２】
なお、ステップＳ１５１でＮｏである場合とは、各住宅Ｈの消費電力が賄えている場合（不足する分の電力が系統電源Ｓから購入されていない場合）か、又は全ての住宅用蓄電池システム２０が放電を行っていない場合を示している。また、ステップＳ１５２でＹｅｓである場合、及び、ステップＳ１６４でＹｅｓである場合とは、停止モードに設定された住宅用蓄電池システム２０が存在していない場合を示している。また、ステップＳ１５４でＹｅｓである場合とは、各住宅Ｈの消費電力が賄えている場合（不足する分の電力が系統電源Ｓから購入されていない場合）か、又は全ての住宅用蓄電池システム２０が放電を行っていない場合を示している。また、ステップＳ１６２でＹｅｓである場合とは、全ての住宅用蓄電池システム２０が放電モードであっても放電不可能である場合を示している。
【０１４３】
このように、ステップＳ１６６でＹｅｓである場合、ステップＳ１５１でＮｏである場合、ステップＳ１５２でＹｅｓである場合、ステップＳ１５４でＹｅｓである場合、ステップＳ１６２でＹｅｓである場合、又は、ステップＳ１６４でＹｅｓである場合とは、放電モードに設定された住宅用蓄電池システム２０の数を増加させる処理を行わない（行うことができない、又は行う必要がない）場合を示している。
【０１４４】
このように、第六実施形態に係る蓄電池システムの動作の処理において、ＥＭＳ４０は、放電モードに設定された住宅用蓄電池システム２０の数を増加させる処理を行わない場合、ステップＳ１６７の処理を実行する。
【０１４５】
ステップＳ１６７において、ＥＭＳ４０は、放電モードに設定された各住宅用蓄電池システム２０に、放電待機である住宅用蓄電池システム２０があるか否かを判断する。ＥＭＳ４０は、放電モードに設定された各住宅用蓄電池システム２０に、放電待機である住宅用蓄電池システム２０があると判断すると（ステップＳ１６７でＹｅｓ）、ステップＳ１６８の処理を実行する。
【０１４６】
ステップＳ１６８において、ＥＭＳ４０は、放電モードに設定された各住宅用蓄電池システム２０の蓄電池残量が放電可能閾値ｂよりも大きいか否かを判断する。ＥＭＳ４０は、放電モードに設定された各住宅用蓄電池システム２０の蓄電池残量が放電可能閾値ｂよりも大きいと判断すると（ステップＳ１６８でＹｅｓ）、ステップＳ１６９の処理を実行する。
【０１４７】
なお、放電モードに設定された各住宅用蓄電池システム２０の蓄電池残量が放電可能閾値ｂよりも大きい場合（ステップＳ１６８でＹｅｓ）とは、放電待機となっている全ての住宅用蓄電池システム２０の蓄電池残量が放電可能な程度に残っている場合（すなわち、各住宅Ｈの消費電力に対して余剰が生じるために放電待機となっている場合）を示している。
【０１４８】
ステップＳ１６９において、ＥＭＳ４０は、放電モードに設定された全ての住宅用蓄電池システム２０のうち、最も放電優先順位の小さい住宅用蓄電池システム２０を停止モードに変更する。こうして、ＥＭＳ４０は、各住宅Ｈの消費電力に対して余剰が生じるために放電待機となっている住宅用蓄電池システム２０がある場合に、放電優先順位の小さい住宅用蓄電池システム２０からではなく、放電優先順位の大きい住宅用蓄電池システム２０から電力が放電されるようにする。ＥＭＳ４０は、ステップＳ１６９の処理を実行した後、ステップＳ１７１の処理を実行する。
【０１４９】
また、ステップＳ１６８において、ＥＭＳ４０は、放電モードに設定された各住宅用蓄電池システム２０の蓄電池残量が放電可能閾値ｂよりも大きくない（放電モードに設定された各住宅用蓄電池システム２０のうち、少なくとも１つ以上の住宅用蓄電池システム２０の蓄電池残量が放電可能閾値ｂ以下である）と判断すると（ステップＳ１６８でＮｏ）、ステップＳ１７０の処理を実行する。
【０１５０】
なお、放電モードに設定された各住宅用蓄電池システム２０の蓄電池残量が放電可能閾値ｂよりも大きくない（放電モードに設定された各住宅用蓄電池システム２０のうち、少なくとも１つ以上の住宅用蓄電池システム２０の蓄電池残量が放電可能閾値ｂ以下である）場合とは、放電待機の全ての住宅用蓄電池システム２０のうち、少なくとも１つ以上の住宅用蓄電池システム２０の蓄電池残量が放電可能な程度に残っていない場合（すなわち、各住宅Ｈの消費電力が賄えていなくとも、放電不可能であるために放電待機となっている場合）を示している。
【０１５１】
ステップＳ１７０において、ＥＭＳ４０は、放電モードに設定された全ての住宅用蓄電池システム２０のうち、蓄電池残量が放電可能閾値ｂ以下の住宅用蓄電池システム２０を抽出し、当該抽出した各住宅用蓄電池システム２０を停止モードに変更する。こうして、ＥＭＳ４０は、放電モードに設定された住宅用蓄電池システム２０のうち、蓄電池残量が放電可能な程度に残っていない住宅用蓄電池システム２０を停止モードとする。ＥＭＳ４０は、ステップＳ１７０の処理を実行した後、ステップＳ１７１の処理を実行する。
【０１５２】
ステップＳ１７１において、ＥＭＳ４０は、放電モードに設定された全ての住宅用蓄電池システム２０が放電しているか否かを判断する。ＥＭＳ４０は、放電モードに設定された全ての住宅用蓄電池システム２０が放電していないと判断すると（ステップＳ１７１でＮｏ）、再びステップＳ１６８の処理を実行する。
【０１５３】
なお、放電モードに設定された全ての住宅用蓄電池システム２０が放電していない場合（ステップＳ１７１でＮｏ）とは、放電モードに設定された全ての住宅用蓄電池システム２０のうち、放電待機である住宅用蓄電池システム２０がある場合、すなわち各住宅Ｈの消費電力が賄えており、必要以上の数の住宅用蓄電池システム２０が放電モードに設定されている場合を示している。
【０１５４】
このような場合、ＥＭＳ４０は、再びステップＳ１６８の処理を実行することによって、放電優先順位の小さい住宅用蓄電池システム２０からの放電を極力行わないように、最も放電優先順位の小さい住宅用蓄電池システム２０を停止モードに変更する。
【０１５５】
また、ステップＳ１７１において、ＥＭＳ４０は、放電モードに設定された全ての住宅用蓄電池システム２０が放電していると判断すると（ステップＳ１７１でＹｅｓ）、蓄電池システム動作の処理を終了する。なお、放電モードに設定された全ての住宅用蓄電池システム２０が放電している場合とは、放電モードに設定された住宅用蓄電池システム２０の数をこれ以上減少させることができない場合を示している。
【０１５６】
また、ステップＳ１６７において、ＥＭＳ４０は、放電モードに設定された全ての住宅用蓄電池システム２０のうち、放電待機である住宅用蓄電池システム２０がないと判断すると（ステップＳ１６７でＮｏ）、蓄電池システム動作の処理を終了する。なお、放電モードに設定された全ての住宅用蓄電池システム２０のうち、放電待機である住宅用蓄電池システム２０がない場合とは、放電モードに設定された住宅用蓄電池システム２０の数をこれ以上減少させることができない場合を示している。
【０１５７】
このように、第六実施形態に係る蓄電池システム動作の処理においては、住宅用蓄電池システム２０の動作（放電及び放電停止）を制御すると共に、第五実施形態に係る蓄電池システム動作の処理とは異なり、第Ｎ住宅用蓄電池システム２Ｎにおいて系統電源Ｓから購入している電力が最低放電閾値ａよりも大きいか否かの判断（ステップＳ１５１）だけではなく、各住宅用蓄電池システム２０の蓄電池残量が放電可能閾値ｂよりも大きいか否かの判断（ステップＳ１６１）等に基づいて、住宅用蓄電池システム２０からの放電量を細かく調整しながら、複数の住宅用蓄電池システム２０における放電量の偏り（積算放電電力量の偏り）の解消を図ることができる。こうして、複数の住宅用蓄電池システム２０における放電量に生じた偏りの解消を図ることによって、複数の住宅Ｈ（住人）間で得ることができる料金の均等化をより確実に図ることができる。
【０１５８】
なお、第六実施形態に係る蓄電池システム動作の処理においては、ステップＳ１５４、ステップＳ１６６、及びステップＳ１７１の処理を実行しているが、第一実施形態に係る蓄電池システム動作の処理におけるステップＳ１１４と同様に、当該処理を省略することもできる（第二実施形態（第一実施形態の別例）に係る蓄電池システム動作の処理を参照）。
【０１５９】
以上のように、本実施形態に係る電力供給システム１においては、
電力を充放電可能であって住宅Ｈ（負荷）へと電力を供給可能であると共に動作に関する複数の動作モードを実行可能な複数の住宅用蓄電池システム２０（蓄電池システム）と、
前記住宅用蓄電池システム２０の前記動作モードを切り替えるＥＭＳ４０（制御部）と、
を具備し、
前記住宅用蓄電池システム２０は、
前記動作モードとして前記住宅Ｈ（負荷）の要求に応じて放電可能とする放電モード、又は放電不可能とする停止モードを実行可能であり、
前記ＥＭＳ４０（制御部）は、
前記住宅用蓄電池システム２０の積算放電量を取得すると共に、当該取得した積算放電量の少ない順番に複数の前記住宅用蓄電池システム２０を優先順位づけ、
前記優先順位の最上位の前記住宅用蓄電池システム２０を前記放電モードとし、その他の前記住宅用蓄電池システム２０を前記停止モードとするものである。
【０１６０】
このような構成により、複数の住宅用蓄電池システム２０のうち特定の住宅用蓄電池システム２０に放電や充電が偏ることをより効果的に防止することができる。
こうして、複数の住宅用蓄電池システム２０における放電量に偏りが生じることを防止するため、複数の住宅Ｈ（住人）間で得ることができる料金の均等化を図ることができる。また、複数の住宅用蓄電池システム２０における放電量に偏りが生じることを防止するため、複数の住宅用蓄電池システム２０における寿命（耐用年数）の均等化を図ることができる。
【０１６１】
また、本実施形態に係る電力供給システム１においては、
前記放電モードの前記住宅用蓄電池システム２０からの電力が前記住宅Ｈ（負荷）の要求に対して不足する場合に前記住宅Ｈ（負荷）へと電力を供給する共用蓄電池システム３０（不足電力供給システム）を具備し、
前記ＥＭＳ４０（制御部）は、
前記共用蓄電池システム３０（不足電力供給システム）から前記住宅Ｈ（負荷）へと電力が供給されている場合、
前記停止モードの前記住宅用蓄電池システム２０のうち、前記優先順位の最上位の前記住宅用蓄電池システム２０を前記放電モードとするものである。
【０１６２】
このような構成により、複数の住宅用蓄電池システム２０のうち特定の住宅用蓄電池システム２０に放電や充電が偏ることをより効果的に防止することができる。
【０１６３】
また、本実施形態に係る電力供給システム１においては、
複数の前記住宅用蓄電池システム２０は、前記共用蓄電池システム３０（不足電力供給システム）よりも前記住宅Ｈ（負荷）に接続されるものである。
【０１６４】
このような構成により、複数の住宅用蓄電池システム２０のうち特定の住宅用蓄電池システム２０に放電や充電が偏ることをより効果的に防止することができる。
【０１６５】
また、本実施形態に係る電力供給システム１においては、
複数の前記住宅用蓄電池システム２０は、住宅Ｈの住人（複数の需要者）のうち何れかが所有し、
前記不足電力供給システムは、前記住宅Ｈの住人（複数の需要者）が共用しているものである。
【０１６６】
このような構成により、負荷へと電力を供給する複数の住宅Ｈの住人の共用のシステム用いて、複数の住宅用蓄電池システム２０のうち特定の住宅用蓄電池システム２０に放電や充電が偏ることをより効果的に防止することができる。
【０１６７】
なお、住宅用蓄電池システム２０は、蓄電池システムの実施の一形態である。
また、共用蓄電池システム３０は、不足電力供給システムの実施の一形態である。
また、住宅Ｈは、負荷の実施の一形態である。
また、ＥＭＳ４０は、制御部の実施の一形態である。
また、住宅Ｈの住人は、需要者の実施の一形態である。
【０１６８】
以上、一実施形態を説明したが、本発明は上記構成に限定されるものではなく、特許請求の範囲に記載された発明の範囲内で種々の変更が可能である。
【０１６９】
例えば、上記実施形態においては、電力小売事業者が電力会社から一括購入した電力を、複数の住宅Ｈ間で適宜供給（融通）するとしたが、電力小売事業者が電力会社から一括購入するものでなくともよい。
【０１７０】
また、住宅用蓄電池システム２０及び共用蓄電池システム３０は、それぞれ自然エネルギーを用いて発電する発電装置（例えば、太陽光発電装置）や、所定の燃料を用いて発電する発電装置（例えば、燃料装置）等を具備する構成であってもよい。
【０１７１】
また、住宅用蓄電池システム２０の放電モード及び停止モードを切り替えるのは、ＥＭＳ４０ではなく、適宜の制御部を選択することができる。
【０１７２】
また、放電優先順位の設定には、所定の期間（本実施形態においては、直近の２４時間）の間に放電した電力量の総和である積算放電電力量が用いられていたが、例えば所定の期間の間に充電した電力量の総和である積算充電電力量を用いてもよいし、積算放電電力量及び積算充電電力量の両方を用いてもよい。
【符号の説明】
【０１７３】
１      電力供給システム
２０    住宅用蓄電池システム
３０    共用蓄電池システム
４０    ＥＭＳ
Ｈ      住宅
Ｓ      系統電源
【図１】
0006748452.tif 000002
【図２】
0006748452.tif 000003
【図３】
0006748452.tif 000004
【図４】
0006748452.tif 000005
【図５】
0006748452.tif 000006
【図６】
0006748452.tif 000007
【図７】
0006748452.tif 000008
【図８】
0006748452.tif 000009
【図９】
0006748452.tif 000010
【図１０】
0006748452.tif 000011
【図１１】
0006748452.tif 000012
【図１２】
0006748452.tif 000013
【図１３】
0006748452.tif 000014